(57)【特許請求の範囲】
【請求項１】
堰壁上に一定間隔おきに立設される支柱と、支柱の上端部をつなぐ上枠と、支柱の下端部をつなぐ下枠とによって手摺り枠体を形成し、この手摺り枠体の左右に対向する支柱と上枠と下枠とからなる各ガラス取付枠にガラス板を嵌装してなる手摺りのガラス板取付構造であって、各ガラス取付枠の支柱は、角筒状の支柱本体とこれの室外側面に突設された目地枠とからなり、目地枠は、基台部と、これの幅方向中央部に突設されてその左右両側にガラス嵌合部を形成する突条壁と、これの先端部に断面略Ｔ字状を成すように突設された化粧縁とからなり、ガラス板は、左右端部の室外面側に凹段部を有し、ガラス取付枠にガラス板を嵌装するにあたって、目地枠の化粧縁には先付けビートが取り付けられており、該先付けビートは、その幅の狭くなった一側端部を、化粧縁の裏面部と突条壁側の小凸条部との間の内隅部に嵌合させると共に、先付けビートの先端面側に設けてある凹溝部を化粧縁の側端部から内向きに突出する小凸条部に嵌め込むようにして取り付けられており、左右に対向する両突条壁のガラス嵌合部間にガラス板を上方より挿入して、ガラス板端部の凹段部に先付けビートを突入嵌合させることにより、目地枠の化粧縁がガラス板の室外面から出っ張らないようにし、ガラス板の下端部及び上端部は、下枠及び上枠のガラス嵌合部に夫々嵌め込んで保持してなる手摺りのガラス板取付構造。
【請求項２】
支柱の目地枠にはガラス嵌合部の室内側に、ガラス板左右端部の室内面を押える押えビートを取り付けてなる請求項１に記載の手摺りのガラス板取付構造。
【請求項３】
支柱の目地枠が支柱本体と別体に形成されて、支柱本体の室外側面に取り付けられている請求項１又は２に記載の手摺りのガラス板取付構造。
【請求項４】
支柱の目地枠が支柱本体の室外側面に一体に形成されている請求項１又は２に記載の手摺りのガラス板取付構造。
【請求項５】
支柱の目地枠は、下枠の端部が位置する部分より下方が支柱本体から切除されている請求項１〜４の何れかに記載の手摺りのガラス板取付構造。
【発明の詳細な説明】
【技術分野】
【０００１】
本発明は、建物のベランダ等の室外側端部に設置される手摺りに関するもので、特に、堰壁上に一定間隔をおいて立設される支柱と、これら支柱の上端部をつなぐ上枠と、支柱の下端部をつなぐ下枠とによって矩形状の手摺り枠体を形成し、この手摺り枠体の左右に対向する支柱と上枠と下枠とからなる各ガラス取付枠にガラス板を嵌装するようにした手摺りのガラス板取付構造に関する。
【背景技術】
【０００２】
従来におけるこの種手摺りのガラス板取付構造として、特許公報等の具体的な公知文献を挙げることはできないが、現在使用されている高さ１．２ｍの手摺りにおいては、矩形状のガラス取付枠体を形成する支柱の見附幅が５ｃｍ程度以上と可なり大きいことから、室内外から見た支柱の見栄えが良くない。
【０００３】
従来のガラス取付枠の支柱の見附幅を５ｃｍ程度以上と幅広くせざるを得ない理由は、各支柱が、室内外方向に間隔をおいた内外一対の枠部と、両枠部をつなぐと共に、両枠部間の空間を左右に仕切って左右両側にガラス嵌合溝を形成する仕切壁とにより構成されていて、ガラス取付枠にガラス板を嵌め込むのに、ガラス板の一側端部を左右支柱の何れか一方のガラス嵌合溝に深く嵌め込んだ後、ガラス板の他側端部を他方のガラス嵌合溝に嵌め込んで左右方向にスライドさせる、言わば左右検鈍式によって、ガラス板をガラス取付枠に嵌め込むことから、仕切壁の両側に形成されるガラス嵌合溝の深さを十分に深くする必要があり、それがために支柱の見附幅がどうしても幅広くなり、外観上の体裁、見栄えが悪い。
【発明の概要】
【発明が解決しようとする課題】
【０００４】
本発明は、上記の事情に鑑み、支柱の目地枠部分の目地幅をできるだけ小さくすると共に目地枠部分がガラス面から出っ張らないようにして、外観上の体裁、見栄えを良くし、更にガラス板の取付作業を簡単に行えるようにしたガラス板取付構造を提供することを目的とする。
【課題を解決するための手段】
【０００５】
上記課題を解決するための手段を、後述する実施形態の参照符号を付して説明すると、請求項１に係る発明は、堰壁７上に一定間隔おきに立設される支柱２と、支柱２の上端部をつなぐ上枠３と、支柱２の下端部をつなぐ下枠４とによって手摺り枠体１を形成し、この手摺り枠体１の左右に対向する支柱２，２と上枠３と下枠４とからなる各ガラス取付枠５にガラス板６を嵌装してなる手摺りのガラス板取付構造であって、各ガラス取付枠５の支柱２は、角筒状の支柱本体８とこれの室外側面に突設された目地枠９とからなり、目地枠９は、基台部１０と、これの幅方向中央部に突設されてその左右両側にガラス嵌合部１１を形成する突条壁１２と、これの先端部に断面略Ｔ字状を成すように突設された化粧縁１３とからなり、ガラス板６は、左右端部の室外面側に凹段部６ｏを有し、ガラス取付枠５にガラス板６を嵌装するにあたって、目地枠９の化粧縁１３には先付けビート１４が取り付けられており、該先付けビート１４は、その幅の狭くなった一側端部１４ａを、化粧縁１３の裏面部と突条壁１２側の小凸条部１２ａとの間の内隅部に嵌合させると共に、先付けビート１４の先端面側に設けてある凹溝部１４ｂを化粧縁１３の側端部から内向きに突出する小凸条部１３ｏに嵌め込むようにして取り付けられており、左右に対向する両突条壁１２，１２のガラス嵌合部１１，１１間にガラス板６を上方より挿入して、ガラス板６端部の凹段部６ｏに先付けビート１４を突入嵌合させることにより、目地枠９の化粧縁１３がガラス板６の室外面から出っ張らないようにし、ガラス板６の下端部及び上端部は、下枠４及び上枠３のガラス嵌合部２２，１６に夫々嵌め込んで保持してなることを特徴とする。
【０００６】
請求項２は、請求項１に記載の手摺りのガラス板取付構造において、支柱２の目地枠９にはガラス嵌合部１１の室内側に、ガラス板６左右端部の室内面を押える押えビート１５を取り付けてなることを特徴とする。
【０００７】
請求項３は、請求項１又は２に記載の手摺りのガラス板取付構造において、支柱２の目地枠９が支柱本体８とは別体に形成されて、支柱本体８の室外側面に取り付けられていることを特徴とする。
【０００８】
請求項４は、請求項１又は２に記載の手摺りのガラス板取付構造において、支柱２の目地枠９が支柱本体８の室外側面に一体に形成されていることを特徴とする。
【０００９】
請求項５は、請求項１〜４の何れかに記載の手摺りのガラス板取付構造において、支柱２の目地枠９は、下枠４の端部が位置する部分より下方が支柱本体８から切除されていることを特徴とする。
【発明の効果】
【００１０】
上記解決手段による発明の効果を、後述する実施形態の参照符号を付して説明すると、請求項１に係る発明の手摺りのガラス板取付構造によれば、各ガラス取付枠５の支柱２が角筒状の支柱本体８とこれの室外側面に突設された目地枠９とからなり、目地枠９が、基台部１０と、これの幅方向中央部に突設された突条壁１２と、これの先端部に断面略Ｔ字状を成すように突設された化粧縁１３とからなり、ガラス板６は左右端部の室外面側に凹段部６ｏを有するもので、ガラス取付枠５にガラス板６を嵌装するにあたり、目地枠９の化粧縁１３には先付けビート１４が取り付けられており、左右に対向する両突条壁１２，１２のガラス嵌合部１１，１１間にガラス板６を上方より挿入し、ガラス板６の下端部及び上端部を、下枠４及び上枠３のガラス嵌合部２２，１６に夫々嵌め込んで保持するようにしたから、ガラス板６の嵌め込み作業に外部足場を仮設することなく、簡単容易に行うことができると共に、目地枠９の突条壁１２の左右両側に形成されるガラス嵌合部１１へのガラス板６端部の嵌め込み深さを十分浅くすることが可能となり、これによってガラス板６の室外側から見た目地枠９の見附幅ｖを例えば１５ｍｍ程度と幅狭にすることができる。そしてまた、目地枠９の化粧縁１３に取り付けた先付けビート１４をガラス板６端部の凹段部６ｏに突入嵌合させることによって、目地枠９の化粧縁１３がガラス板６の室外面から出っ張らないようにしているから、目地枠９の見附幅ｖを幅狭にできることと相俟って、室外側から見た外観上の体裁、見栄えを良好なものにすることができる。
特に、本発明によれば、ガラス取付枠５のガラス嵌合部１１にガラス板６を嵌装するにあたり、目地枠９の化粧縁１３には、ガラス嵌合部１１の室外側に予め先付けビート１４がガラス板６の取り付け前に取り付けられており、この状態で上述のようにガラス板６のガラス嵌合部１１への嵌め込み作業を行うようになっているため、外部足場の仮設を必要としないメリットがある。
しかも、先付けビート１４を化粧縁１３に取り付けるには、該先付けビート１４の幅の狭くなった一側端部１４ａを、化粧縁１３の裏面部と突条壁１２側の小凸条部１２ａとの間の内隅部に嵌合させると共に、先付けビート１４の先端面側に設けてある凹溝部１４ｂを化粧縁１３の側端部から内向きに突出する小凸条部１３ｏに嵌め込むようにして取り付けられるため、ガラス板６をガラス嵌合部１１に上方より挿入する際に、先付けビート１４がガラス板６の摺動摩擦抵抗を受けても、先付けビート１４は化粧縁１３に対して確実に固定されており、簡単に外れることはない。
【００１１】
請求項２に係る発明のように、支柱２の目地枠９にはガラス嵌合部１１の室内側に押えビート１５を取り付けて、この押えビート１５でガラス板６左右端部の室内面を押えるようにすれば、ガラス板６の左右端部室外面が先付けビート１４に押し付けられて、ガラス板６の左右端部が室内側の押えビート１５と室外側の先付けビート１４とで確実に保持固定されると共に、両ビート１４，１５がガラス板６と金属製目地枠９との緩衝材として機能するため、衝撃や振動等によるガラス板６の破損を防止することができる。
【００１２】
請求項３に係る発明のように、支柱２の目地枠９が支柱本体８とは別体に形成されて、支柱本体８の室外側面に取り付けられている場合は、目地枠９の一部が破損したり、ガラス板６の厚さが変更されるときは、目地枠９のみを取り換えればよいから、きわめて経済的である。
【００１３】
請求項４に係る発明のように、支柱２の目地枠９が支柱本体８の室外側面に一体に形成されている場合は、支柱２の製作が容易で、支柱２のコストを安くできる。
【００１４】
請求項５に係る発明のように、支柱２の目地枠９は、下枠４の端部が位置する部分より下方が支柱本体８から切除されているから、下枠４の取付けが容易になると共に、外観上の体裁がより一層良好となる。
【図面の簡単な説明】
【００１５】
【図１】本発明に係る手摺りを室外側から見た正面図である。
【図２】図１のＡ−Ａ拡大断面図である。
【図３】図１のＷ−Ｗ線拡大面図である。
【図４】(a) は図３の一部拡大図で、本発明のガラス板取付構造の一実施形態を示し、(b) は化粧縁に先付けビートを取り付ける状態を示す説明図である。
【図５】支柱への下枠端部の取付部分を示す斜視図である。
【図６】ガラス板取付構造の他の実施形態を示す、図４の(a) と同様な断面図である。
【図７】(a) 〜(d) はガラス板の嵌め込み手順を示す説明図である。
【発明を実施するための形態】
【００１６】
以下に本発明の好適な一実施形態を図面に基づいて説明すると、図１は本発明に係る他の手摺りを室外側から見た正面図、図２は図１のＡ−Ａ拡大断面図、図３は図１のＢ−Ｂ線拡大面図、図４の(a) は図３の一部拡大図である。ここに示す手摺りは、ベランダの堰壁７上に一定間隔おきに立設される支柱２と、これら支柱２の上端部をつなぐ上枠３と、支柱２の下端部をつなぐ下枠４とによって手摺り枠体１を形成し、この手摺り枠体１の左右に対向する支柱２，２と上枠３と下枠４とからなる各ガラス取付枠５にガラス板６を嵌装してなるものである。
【００１７】
各ガラス取付枠５の左右各支柱２は、図３及び図４の(a) から分かるように、角筒状の支柱本体８と、この支柱本体８の室外側面に突設された目地枠９とから構成される。この目地枠９は、支柱本体８とは別体に形成されて、支柱本体８の室外側面に取り付けられるもので、基台部１０と、この基台部１０の幅方向中央部に突設されてその左右両側にガラス嵌合部１１，１１を形成する突条壁１２と、この凸条壁１２の先端部に断面略Ｔ字状を成すように突設された化粧縁１３とからなり、基台部１０は、この基台部１０に設けた係嵌用の凸部１０ａ及び凹部１０ｂを、支柱本体８の室外側面に設け係嵌用の凹部８ａ及び凸部８ｂに対し夫々互いに係嵌させることにより、支柱本体８に長手方向スライド自在に取り付けられる。
【００１８】
各支柱２の支柱本体８及び目地枠９は、夫々アルミ押出形材によって形成されている。目地枠９の化粧縁１３にはガラス嵌合部１１の室外側に、先付けビート１４が、ガラス板６の取付け前に取り付けられる。基台部１０にはガラス嵌合部１１の室内側に、ガラス板６の左右端部の室内面を押えるための押えビート１５が、ガラス嵌合部１１へのガラス板６の嵌め込み後に、ガラス板６の室内面との間に介挿される。先付けビート１４及び押えビート１５は、夫々合成樹脂により形成されたものである。先付けビート１４を目地枠９の化粧縁１３に取り付けるには、図４の(b) に示すように、先付けビート１４の幅の狭くなった一側端部１４ａを、化粧縁１３の裏面部と突条壁１２側の小凸条部１２ａとの間の内隅部に嵌合させると共に、先付けビート１４の先端面側に設けてある凹溝部１４ｂを化粧縁１３の側端部から内向きに突出する小凸条部１３ｏに嵌め込んだ状態とすればよく、これにより先付けビート１４は、化粧縁１３に対して確実に固定され、簡単に外れるようなことはない。
【００１９】
ガラス板６は、２枚のガラス板を強靱な樹脂膜により接着して一体化した合わせガラスからなるもので、透明ガラス、乳白色ガラス、色ガラスなどを必要に応じて使用することができる。そして、このガラス板６は、図３及び図４の(a) に示すように、左右端部の室外面側に段落ち加工によって形成された凹段部６ｏを有し、この凹段部６ｏには、ガラス嵌合部１１へのガラス板６の挿入時に、目地枠９に取り付けてある化粧縁１３が突入嵌合するようになっている。尚、段落ち加工とは、ガラス板加工方法の一つで、ガラスの端部を断面Ｌ字状に切り落として、凹段部を形成する方法である。
【００２０】
上枠３は、図２及び図７の(c) ，(d) に示すように、室外側端部にガラス嵌合部１６を有し、支柱本体８の上端面にビス１７止めされる取付基枠１８と、この取付基枠１８を被うように被嵌される笠木部材１９とからなるもので、この取付基枠１８及び笠木部材１９は夫々アルミ押出形材によって形成される。尚、取付基枠１８を支柱本体８の上端面に固定するビス１７は、支柱本体８内のビスホール８ｃ（図３，図４参照）にねじ込まれる。取付基枠１８のガラス嵌合部１６の室内側端部にはバックアップ材２０が取り付けられ、ガラス嵌合部１１の室外側端部に受けゴム２１が取り付けられている。そして、笠木部材１９は、その室外側係止部１９ａを取付基枠１８の係止部１８ａに係止させ、室内側係止部１９ｂを取付基枠１８の室内側係止部１８ｂに係止させることによって、取付基枠１８を被うように被嵌される。
【００２１】
下枠４は、図２及び図５に示すような矩形枠状のアルミ押出形材からなるもので、左右に対向する支柱２，２の目地枠９，９間に介挿されて、支柱本体８にビス２９止めされるようになっている。この下枠４の内底部にセッティングブロック（スペーサ）３０が設けられ、このセッティングブロック３０の上部側がガラス嵌合部２２を形成し、このガラス嵌合部２２の室外側に受けゴム２３が取り付けられ、室内側にバックアップシール材２４が取り付けられている。
【００２２】
また図５に示すように、支柱本体８の目地枠９は、ガラス取付枠５の下枠４の端部４ａが位置する部分から下方が支柱本体８から切除されている。そして、この下方部分が切除された目地枠９の下端側に接するように、左右に隣り合うガラス取付枠５，５の双方の下枠４，４の対向端部４ａ，４ａが突き合わされ、この突き合わさった両下枠４，４の対向端部４ａ，４ａの間隙２５を覆い隠す化粧カバー２６が両下枠４，４の対向端部４ａ，４ａにわたって設けてある。化粧カバー２６は、両下枠４，４の対向端部４ａ，４ａの室外側面を覆う正面板部２６ａと、前記対向端部４ａ，４ａの底面を覆う下板部２６ｂとによって略Ｌ字状に形成されたカバー本体２６ａｂからなるもので、下板部２６ｂの内側縁部には前記対向端部４ａ，４ａの室内側面にビス３７止めされるビス止め片２６ｃが設けられ、正面板部２６ａの上端部には前記対向端部４ａ，４ａの室外側面上端部に係止される係止縁部２６ｄが設けられている。
【００２３】
上記下枠４を支柱２に取り付けるにあたっては、下枠４の端部４ａの室内側部分を平面視略Ｌ字状に切欠して、その切欠部４ｏを、図４の(a) 及び図５に示すように、支柱本体８の室外側面及びこれに隣接する横側面部にわたって係合した状態で、下枠４内の室内側で上下に対向突出する上下フランジ片２７，２８から夫々支柱本体８の室外側面に対してビス２９をねじ込むことにより、下枠４の端部４ａを支柱本体８に固定する。
【００２４】
この場合、下枠４内の室内側上部フランジ片２７から支柱本体８の室外側面にビス２９をねじ込むにあたり、下枠端部４ａの室外側側壁３１上部から室外側受けゴム取付溝３３及び室内側バックアップシール材取付溝３４にわたってドリル、ビス、ドライバー挿通用の孔（図示省略）を開ける必要があり、図５には下枠端部４ａの室外側側壁３１上部に設けた孔を３５で示す。また、下枠端部４ａの室外側側壁３１下部に同様にドリル、ビス、ドライバー挿通用の孔３６を開ける。しかして、この下枠端部４ａの室外側側壁３１上部に設けた孔３５から、先ずドリルを挿入して、下枠４室内側の上部フランジ片２７と、下枠端部４ａの室内側側壁３２上部とにビス挿通用孔を開け、次いで室外側側壁３１の下部の孔３６からドリルを挿入して、下枠４室内側の下部フランジ片２８と、下枠端部４ａの室内側側壁３２下部とにビス挿通用孔を開ける。この後、前記孔３５から上部フランジ片２７及び室内側側壁３２のビス挿通用孔にビス２９を挿入して、ドライバー（図示せず）で支柱本体８の室外側面にビス２９をねじ込み、また前記孔３６から下部フランジ片２８及び室内側側壁３２のビス挿通用孔にビス２９を挿入して、ドライバーで支柱本体８の室外側面にビス２９をねじ込めばよい。
【００２５】
化粧カバー２６を図５の仮想線で示すように両下枠４，４の対向端部４ａ，４ａにわたって取り付けるには、カバー本体２６ａｂを下枠４の室外側面及び底面に嵌合させ、ビス止片２６ｃを下枠４の室内側下端コーナー部に係合させると共に、係止縁部２６ｄを下枠４の室外側面上端部に係止させ、そしてビス止片２６ｃを、図４の(a) に示すようにビス３７で下枠４の室内側側壁３２に対して固定する。こうして図５の仮想線で示すように両下枠４，４の対向端部４ａ，４ａにわたって化粧カバー２６を取り付けることにより、両下枠４，４の対向端部４ａ，４ａの間隙２５が覆い隠されると共に、下枠４の室外側側壁３１に設けられた孔３５，３６が覆い隠されるから、両下枠４，４の対向端部４ａ，４ａにおける室外側での外観上の体裁、見栄えを良くすることができる。
【００２６】
尚、図１に示す手摺りにおける各ガラス取付枠５の寸法の一例を示せば、左右に対向する支柱２，２間のピッチＰは１２００ｍｍ、目地枠９の化粧縁１３に先付けビート１４を取り付けた状態での目地幅ｖ（図４の(a) 参照）は約１５ｍｍ、化粧縁１３の幅ｗ（図４の(a) 参照）は１０ｍｍ、上枠３の厚み幅ｎは３０ｍｍ、下枠４の厚み幅ｍは３０ｍｍ、手摺り高さＨは１２００ｍｍである。
【００２７】
次に、上述した図１に示す手摺りのガラス取付枠５にガラス板６を嵌装する手順を主に図７の(a) 〜(d) を中心に他の図を参照して説明する。このガラス板６の嵌装にあたり、図７の(a) に示すように、上枠３は支柱本体８の上端に未だ取り付けていない状態とし、また各ガラス取付枠５の支柱２には目地枠９の化粧縁１３の両端部に先付けビート１４を取り付けて、図５に示すような状態にしておく。
【００２８】
それから、左右に対向する両突条壁１２，１２のガラス嵌合部１１，１１間にガラス板６を図７の(a) に示すように上方より挿入して、ガラス板端部６ａの凹段部６ｏに先付けビート１４を突入嵌合させた状態とし、それによって目地枠９の化粧縁１３は図４の(a) に示すように、その外面がガラス板６の室外面から出っ張らず、それとほとんど面一状態となる。この時、ガラス板６の下端部は、図７の(b) に示すように下枠４内のガラス嵌合部２２に納まって、セッティングブロック（スペーサ）３０上に支持されると共に、室外側の受けゴム２３と室内側のバックアップシール材２４とで挟持されてシールされる。
【００２９】
上記のようにしてガラス板６の左右両端部を左右に対向する両突条壁１２，１２のガラス嵌合部１１，１１間に嵌め入れると共に、ガラス板６の下端部を下枠４内のガラス嵌合部２２に嵌め込んだ後、目地枠９の基台部１０とガラス板６との間に押えビート１５を挿入して、この押えビート１５によりガラス板６の左右端部室内面を押え付け、それによりガラス板６のガラス板６の左右端部室外面を先付けビート１４に密接させる。即ち、押えビート１５を基台部１０とガラス板６との間に挿入することにより、ガラス板６の左右端部室外面が先付けビート１４に押し付けられて、ガラス板６の左右端部が室内側の押えビート１５と室外側の先付けビート１４とで確実に保持固定されると共に、両ビート１４，１５がガラス板６と金属製目地枠９との緩衝材として機能するため、衝撃や振動等によるガラス板６の破損を防止することができる。
【００３０】
次いで、図７の(c) に示すように、上枠３の取付基枠１８を支柱本体８の上端面にビス１７で固定し、そしてこの取付基枠１８に笠木部材１９を被嵌して、図７の(d) に示すような状態とする。取付基枠１８に形成されるガラス嵌合部１６の室内側にはペースト状のシール材３８を詰め込み、また下枠４のガラス嵌合部２２の室内側にもペースト状のシール材３８を詰め込む。これによって、ガラス板６の嵌め込みを終了する。
【００３１】
図３〜図５に示す手摺りのガラス板取付構造では、支柱２の目地枠９が支柱本体８と別体に形成されているが、図６には、支柱２の目地枠９が支柱本体８の室外側面に一体に形成されているガラス板取付構造を示す。即ち、支柱２の目地枠９は、基台部１０と、この基台部１０の幅方向中央部に突設された突条壁１２と、この凸条壁１２の先端部に断面略Ｔ字状を成すように突設された化粧縁１３とからなるものであるが、図６に示す支柱２の目地枠９は、基台部１０が支柱本体８の室外側面に一体に形成されたもので、この点以外は、図３〜図５に示す手摺りのガラス板取付構造と全く同じであるから同一部材に同一符号を付して説明を省略する。
【００３２】
図３〜図５に示すように、目地枠９が支柱本体８とは別体に形成されている支柱２は、目地枠９の一部が破損した場合とか、ガラス板６の厚さが変更される場合には、目地枠９のみを取り換えればよいから、きわめて経済的である。また図６に示すように、目地枠９が支柱本体８の室外側面に一体に形成されている支柱２は、製作が容易であるから、支柱２のコストを安くできる。
【００３３】
上述した図１〜図７に示すような実施形態の手摺りのガラス板取付構造は、ガラス取付枠５の支柱２が角筒状の支柱本体８とこれの室外側面に突設された目地枠９とからなり、目地枠９は、基台部１０と、これの幅方向中央部に突設されてその左右両側にガラス嵌合部１１を形成する突条壁１２と、これの先端部に断面略Ｔ字状を成すように突設された化粧縁１３とからなり、ガラス板６は、左右端部の室外面側に凹段部６ｏを有し、ガラス取付枠５にガラス板６を嵌装するにあたって、目地枠９の化粧縁１３に先付けビート１４を取り付け、左右に対向する両突条壁１２，１２のガラス嵌合部１１，１１間にガラス板６を上方より挿入し、ガラス板６の下端部及び上端部は、下枠４及び上枠３のガラス嵌合部２２，１６に夫々嵌め込んで保持するようにしたもので、ガラス板６の嵌め込み作業に外部足場を仮設することなく、簡単容易に行うことができると共に、目地枠９の突条壁１２の左右両側に形成されるガラス嵌合部１１へのガラス板６端部の嵌め込み深さを十分浅くすることが可能となり、これによってガラス板６の室外側から見た時の目地枠９の見附幅ｖは、図１を見れば分かるように、例えば１５ｍｍ程度と幅狭にすることができる。そしてまた、ガラス板６端部の凹段部６ｏに先付けビート１４を突入嵌合させることによって、目地枠９の化粧縁１３がガラス板６の室外面から出っ張らないようにしているから、目地枠９の見附幅ｖを幅狭にできることと相俟って、室外側から見た外観上の体裁、見栄えが良好となる。
【００３４】
また、このガラス板取付構造によれば、ガラス板６に加わる風圧による荷重は、左右に対向する目地枠９，９と上枠３と下枠４との４辺で受けるため、通常のシール目地の場合よりもガラス板の厚さを薄くすることができる。即ち、シール目地の場合は、シリコン等のシール材がガラス板の端面に接着することによってガラス板を保持することから、ガラス板の厚さが相当に厚くないと、十分な保持力が得られないが、本発明のガラス板取付構造では、ガラス板６の上端部及び下端部は、上枠３のガラス嵌合部１６及び下枠４のガラス嵌合部２２で夫々確実に保持し、ガラス板６の左右端部は、目地枠９の化粧縁１３に取り付けた先付けビート１４をガラス板端部の凹段部６ｏに嵌合させるから、ガラス板６が比較的薄くても、凹段部６ｏに嵌合する先付けビート１４によってガラス板６の左右端部を十分に保持できる。
【００３５】
また、この手摺りにおいて、各支柱２の目地枠９は、図２及び図５に示されるように、下枠４の端部が位置する部分より下方が支柱本体８から切除されているため、下枠４の取付けが容易になると共に、外観上の体裁がより一層良好となる。
【符号の説明】
【００３６】
１            手摺り枠体
２            支柱
３            上枠
４            下枠
５            ガラス取付枠
６            ガラス板
７            堰壁
８            支柱本体
９            目地枠
１０          目地枠の基台部
１１          ガラス嵌合部
１２          目地枠の突条壁
１３          目地枠の化粧縁
１４          先付けビート
１５          押えビート
１６          上枠のガラス嵌合部
２２          下枠のガラス嵌合部
【図１】
0005197682.tif 000002
【図２】
0005197682.tif 000003
【図３】
0005197682.tif 000004
【図４】
0005197682.tif 000005
【図５】
0005197682.tif 000006
【図６】
0005197682.tif 000007
【図７】
0005197682.tif 000008